(57)【特許請求の範囲】
【請求項１】
浴槽水を循環させる循環系路の途中に循環ポンプと膜浄化方式の膜槽とを配設し、浴槽水を膜体を通過させることによって浄化する浴槽水浄化装置において、膜槽を複数個配設して少なくとも二つの膜槽の膜体の孔径が異なるようにし、これらの各膜槽を前記循環系路へ連通接続すると共に、各膜槽どうしをも連通接続して膜浄化回路を形成し、前記各膜槽の循環ポンプの下流側と連通する流入口側に噴射ノズルを配設し、膜槽の少なくとも一つに殺菌用のヒーターを配設したことを特徴とする浴槽水浄化装置。
【請求項２】
浴槽水の循環系路と膜浄化回路との接続部位に配設された切換弁と、各膜槽どうしの接続部位に配設された切換弁とを切り換えることで、殺菌用のヒーターにより加熱された高温水が膜浄化回路及び浴槽水の循環系路の全管路を通過し、これらの内部を殺菌することを特徴とする前記請求項１に記載の浴槽水浄化装置。
【発明の詳細な説明】
【０００１】
【発明の属する技術分野】
本発明は、浴槽の湯を循環させて加熱保温すると共に、濾過及び浄化並びに全管路内の高温水による殺菌を行い、２４時間を通していつでも使用可能な浴槽水浄化装置に関するものである。
【０００２】
【従来の技術】
従来の浴槽水浄化装置においては、浴槽内の湯を循環させる循環系路内に、中空糸膜や平板状の平膜等の膜モジュールを設けて、この膜モジュールを通過させて湯を浄化するようにしているが、長時間の運転により、膜モジュールに菌が付着し、この菌が湯中の人体から出る汗や垢等の有機物を栄養源として繁殖し、膜モジュールを閉塞させてしまうという問題点があった。この菌は、一般細菌の場合が０．２〜１．０μm の大きさであり、大腸菌の場合が２〜４μm の大きさと言われている。
【０００３】
かかる問題点を解決するものとして、従来では図６及び図７に示すような膜モジュールを用いた浴槽水浄化装置１が開発されている。この浴槽水浄化装置１は、浴槽２内の湯を循環させる循環系路３の途中に、循環ポンプ４と、保温用ヒーター５と、三方弁６とを直列状に配設し、また循環ポンプ４と平行に膜浄化装置７としての膜槽８を配設している。膜槽８は、循環系路３との接続管路の途中にそれぞれ電磁弁９及び１０が設けられている。膜槽８の内部には、膜モジュールとしての例えば平膜１１と、殺菌用のヒーター１２と、曝気ノズル１３とが装着されている。また膜槽８は、気液分離方式の電磁弁１４を介して大気へ連通すると共に、排出管１５及び電磁弁１６を介して下水等へ連通し、更には接続管１７を介して三方弁６のポートの一つへ接続されている。なお、図６及び図７において、１８は曝気ノズル１３へ圧縮エアーを供給するエアーポンプである。また同図において、各弁の黒塗りの部分は閉塞状態を示し、白抜きの部分は連通状態を示している。
【０００４】
（イ）通常浄化モード
このような浴槽水浄化装置１において、膜浄化方式により、浴槽水を浄化しながら循環させる図６の図（Ａ）に示す通常浄化モードでは、電磁弁９と１０を開にし、循環ポンプ４と保温用ヒーター５とをＯＮ動作させて浴槽水が循環系路３を通って循環するようにしている。循環する浴槽水は、保温用ヒーター５によって一定の温度範囲となるように加熱保温される。また循環する浴槽水の一部は、電磁弁１０を介して膜浄化装置７の膜槽８内へ流入し、平膜１１と接触してその小孔を通過することにより濾過される。そして、電磁弁９を介して循環系路３へ復帰する。このようにして、通常は、循環する浴槽水の一部を連続して浄化し、浴槽水の全体の汚れを除去するようにしている。
【０００５】
（ロ）殺菌モード
次に、装置の運転開始から所定時間が経過すると、膜槽８及び平膜１１の殺菌を行うために、殺菌モードになる。この殺菌モードは、図６の図（Ｂ）に示す通りであり、電磁弁９及び１０が閉となり、浴槽水は循環系路３のみを循環するようになる。このとき、膜浄化装置７の膜槽８内では殺菌用ヒーター１２がＯＮ動作し、膜槽８内の湯を例えば６５℃まで加熱し、平膜１１に付着した菌を殺菌する。
【０００６】
（ハ）洗浄モード
そして、膜槽８内の湯が６５℃になると、殺菌用ヒーター１２はＯＦＦとなり、今度はエアーポンプ１８がＯＮ動作して図７の図（Ａ）に示す洗浄モードになる。この場合のエアーポンプ１８は、エアー圧が高く設定されている。そのため、圧縮エアーが曝気ノズル１３から激しく噴出し、平膜１１に付着した汚れや細菌の死骸を洗浄するようになる。
【０００７】
（ニ）排出モード
最後に、図７の図（Ｂ）に示すように排出モードとなる。この排出モードは、エアーポンプ１８がＯＦＦとなり、三方弁６の流出側が接続管１７側へ連通すべく、切り換えられる。そして、電磁弁１６が開となる。そのため、浴槽水がこの三方弁６から接続管１７を経て膜槽８内へ流入し、平膜１１から剥離除去された汚れや細菌の死骸を排出管１５を介して下水等へ排出している。以上が１サイクルであり、以後は上述の動作を繰り返して浴槽水を浄化すると共に、定期的に膜浄化装置７の膜槽８内の洗浄を行うようにしている。
【０００８】
【発明が解決しようとする課題】
ところが、前記従来の浴槽水浄化装置１では、一つの膜槽８に設けられた平膜１１で浴槽水の浄化を行っており、その孔径は浴槽水に含まれる小さな汚れをも除去できるように細かく設定されている。そのため、浴槽水の浄化に多くの時間を費やすことのできる深夜〜昼間等にかけての浴槽を使用しない時間帯では、細い孔径の平膜１１であっても、十分に浴槽水の全体の浄化を行うことが可能である。然しながら、一人又は家族等の多数人での入浴中や交代で連続的に入浴する場合等にあっては、浴槽水の汚れがひどくなることがある。このような場合は、急速濾過を行うことが必要であるが、前記従来の浴槽水浄化装置１では、平膜１１の孔径が細かいため、平膜１１を通る循環流量が少なく、急速濾過ができないという欠点があった。
【０００９】
また従来の浴槽水浄化装置１では、一つの膜槽８しか設けられておらず、膜槽８内の殺菌・洗浄を行っているときには、浴槽水の浄化を行うことができず、このときに浴槽を利用すると、十分な浴槽水の浄化が行われないままでの入浴を強いられるという欠点があった。
【００１０】
更に、従来の浴槽水浄化装置１では、殺菌用ヒーター１２の加熱による殺菌モードにおいて、膜槽８内の殺菌及びその内部に配設された平膜１１の殺菌しか行えず、その他の循環系路の大部分は殺菌が行えないでいる。そのため、循環ポンプ４及び循環系路内の配管内で雑菌等が繁殖する虞れがあるという問題があった。それに加えて、この従来装置１では、エアポンプ１８を用いて膜槽８内の洗浄を行っているため、エアポンプ１８を別途に必要とすると共に、そのための配管が複雑且つ大型化するという問題があった。
【００１１】
【課題を解決するための手段】
本発明は従来の前記課題に鑑みてこれを改良除去したものであって、膜体の孔径の異なる膜槽を複数個併設することにより、常に浴槽水の浄化を行うことができ、また急速濾過もできるようにすると共に、配管を含めた装置全体の殺菌と、エアポンプの省略によるコンパクト化が可能な浴槽水浄化装置を提供せんとするものである。
【００１２】
而して、前記課題を解決するために本発明が採用した請求項１の手段は、浴槽水を循環させる循環系路の途中に循環ポンプと膜浄化方式の膜槽とを配設し、浴槽水を膜体を通過させることによって浄化する浴槽水浄化装置において、膜槽を複数個配設して少なくとも二つの膜槽の膜体の孔径が異なるようにし、これらの各膜槽を前記循環系路へ連通接続すると共に、各膜槽どうしをも連通接続して膜浄化回路を形成し、前記各膜槽の循環ポンプの下流側と連通する流入口側に噴射ノズルを配設し、膜槽の少なくとも一つに殺菌用のヒーターを配設したことを特徴とする浴槽水浄化装置である。
膜体の孔径の異なる膜槽が少なくとも二つあるので、急速な浄化が必要な場合は粗い径の膜体を使用することでこれを達成でき、また通常の浄化モードでは細かい孔径の膜体をも使用して細菌類の小さなものに対しても浄化をも行うことができる。また循環ポンプから噴射ノズルを通じて膜槽内を洗浄することができ、エアーポンプは不要である。そのため、配管の小径化及び設備のコンパクト化が可能である。
【００１３】
また本発明が採用した請求項２の手段は、浴槽水の循環系路と膜浄化回路との接続部位に配設された切換弁と、各膜槽どうしの接続部位に配設された切換弁とを切り換えることで、殺菌用のヒーターにより加熱された高温水が膜浄化回路及び浴槽水の循環系路の全管路を通過し、これらの内部を殺菌することを特徴とする前記請求項１に記載の浴槽水浄化装置である。
殺菌用のヒーターにより加熱された高温水がシステム全体を流れるので、システム全体の殺菌が可能である。
【００１４】
【発明の実施の形態】
以下に、本発明の構成を図面に示す発明の実施の形態に基づいて説明すると次の通りである。尚、従来の場合と同一符号は同一部材である。図１〜図５は本発明の一実施の形態に係る浴槽水浄化装置１９を示す図面である。同図に示す如く、この浴槽水浄化装置１９は、浴槽２から出た水が浴槽２へ戻ってくる循環系路３の途中に、三方切換弁２０及び３８と、循環ポンプ４と、三方切換弁６，２１と、保温用のヒーター５と、紫外線殺菌装置２２と、四方切換弁２３とをこの順序で直列に接続している。そして、浴槽２の出入口に位置する三方切換弁２０と四方切換弁２３とを連通接続し、浴槽２をバイパスする閉回路が形成されるようにすると共に、四方切換弁２３と三方切換弁３８とを連通接続し、浴槽２の循環口を逆流する洗浄用の回路も形成できるようにしている。
【００１５】
また本装置１９にあっては、循環ポンプ４と平行して二つの膜浄化装置２４及び２５を併設している。膜浄化装置２４は、細かい孔径の平膜１１と、殺菌用のヒーター１２と、噴射ノズル２６が取り付けられている。一方、膜浄化装置２５は、粗い孔径の平膜２７と、噴射ノズル２８とが取り付けられている。膜浄化装置２４の平膜１１の細かい孔径は例えば０．４μm であり、膜浄化装置２５の平膜２７の粗い孔径は例えば１μm である。
【００１６】
膜浄化装置２５は、その噴射ノズル２８が三方切換弁６に連通接続されると共に、噴射ノズル２８に空気吸入管２９が取り付けられている。また平膜２７は、電磁弁３０及び三方切換弁３１を介して浴槽水の循環系路３へ接続されている。膜浄化装置２５の膜槽８の上部側は、電磁弁３２及び三方切換弁３３を介してドレン接続されている。
【００１７】
他方の膜浄化装置２４は、三方切換弁３４を介して膜浄化装置２５に連通接続されている。またこの三方切換弁３４の一方側は、前記平膜２７の吐出口側に設けられた三方切換弁３１の一方側に連通接続されている。膜浄化装置２４の平膜１１は、三方切換弁３５を介して浴槽水の循環系路３へ接続されている。更に、この浄化装置２４の膜槽８の上部側は三方切換弁３３へ連通接続され、ドレン接続されている。更にまた、本浄化装置２４の噴射ノズル２６は、電磁弁３６及び三方切換弁３７を介して循環系路３の三方切換弁２１に連通接続されると共に、ドレン側の三方切換弁３３へも接続されている。また噴射ノズル２６には、空気吸入管２９が取り付けられている。前記三方切換弁３７の一方側は、膜槽８の底部側へ接続されている。
【００１８】
次に、このように構成された浴槽水浄化装置１９の動作態様を、各モードごとに図面を参照して説明する。図面において、各弁の黒塗りのポートは閉塞状態を示し、白抜きのポートは開状態を示している。
（イ）通常浄化モード
この通常の浄化モードでは、図１の図（Ａ）に示すように、浴槽２から循環系路３を通って浴槽２へ戻る浴槽水の循環水流が形成される。この循環水は、途中において保温ヒーター５で加熱されることで所定温度以下にならないようにしており、また紫外線殺菌装置２２によって紫外線照射による殺菌が行われる。なお、細かい孔径の幕体で除菌されるので、紫外線照射による殺菌装置２２は省略することも可能である。
【００１９】
また循環水の一部は、三方切換弁６から循環系路３を分岐して膜浄化装置２５の噴射ノズル２８側へ流れる。この噴射ノズル２８から膜槽８内へ流入した浴槽水の一部は、粗い孔径の平膜２７を通過することで１μm 以上の比較的大きな異物及び汚れ等が濾過される。そして、平幕２７から電磁弁３０、三方切換弁３１及び３４を経て膜浄化装置２４の膜槽８内へ流入し、その平膜１１を通過することで、０．４μm 以上の異物及び雑菌等が濾過される。これにより、非常に小さな不純物をも濾過することが可能である。濾過により浄化された浴槽水の一部は、三方切換弁３５を通って循環系路３へ戻り、浴槽２へ戻される。このようにして、絶えず、浴槽水の一部を粗い平膜２７と細かい平膜１１とで濾過し、浄化することで、浴槽水をいつでも使用できるようにしている。
【００２０】
（ロ）急速浄化モード
次に、浴槽２の使用者が連続する場合等のように、浴槽水の汚れが急激にひどくなるような場合に対処する急速浄化モードについて説明する。この場合は、図１の図（Ｂ）に示す通りであり、同図の図（Ａ）に示す通常浄化モードの状態から膜浄化装置２５の吐出口側の三方切換弁３１が循環系路３と連通すべく切り換えられ、膜浄化装置２４との連通は遮断される。そのため、三方切換弁６から分岐して膜洗浄装置２５の膜槽８内へ流入した浴槽水の一部は、大きな孔径の平膜２７によって１μm 以上の大きな異物等が濾過されるだけであり、電磁弁３０及び三方切換弁３１を通じて循環系路３へ戻り、浴槽２へ戻される。つまり、この急速浄化モードでは、粗い孔径の平膜２７のみで浴槽水の一部を浄化しているため、細かい孔径の平膜１１を併用する場合に比べて通水抵抗が少なく、循環流量が大きく、大量の浴槽水を短時間で浄化することが可能であり、多人数の者が連続して入浴する場合にも対処することが可能である。
【００２１】
（ハ）殺菌モード
図２の図（Ａ）は殺菌モードを示すものである。この殺菌モード及び以下に説明する洗浄モード、排出モード、注水モードは、所定の運転時間ごとに行えばよい。殺菌モードは、図１の図（Ｂ）に示す急速浄化モードと同じように、膜浄化装置２５の粗い孔径の平膜２７のみで浴槽水の一部を濾過する。そして、このとき、他方側の膜浄化装置２４において殺菌用ヒーター１２をＯＮ動作させ、膜槽８内の浴槽水の温度を例えば６５℃まで加熱する。加熱は、８０℃程度まで行うことが可能である。これにより、細かい孔径の平膜１１に付着した雑菌等が殺菌される。
【００２２】
（ニ）洗浄ａモード
そして、膜洗浄装置２４の膜槽８内の湯湯が６５℃になったことを図示しない温度センサー等で検知すると、各弁が図２の図（Ａ）に示す状態から図２の図（Ｂ）で示す状態へ切り換えられる。つまり、三方切換弁２０及び四方切換弁２３は浴槽２側への連通が遮断され、三方切換弁６は膜洗浄装置２５側への連通が遮断され、三方切換弁２１は保温用ヒーター５側への連通が遮断される。そして、膜浄化装置２４の電磁弁３６は開となり、膜浄化装置２５の電磁弁３０は閉となる。また膜浄化装置２４の三方切換弁３５と膜浄化装置２５の三方切換弁３１とは、平膜１１及び２７側への連通が遮断されると共に循環系路３側へ連通するように切り換えられる。このとき、膜浄化装置２４内の殺菌用のヒーター２４は、ＯＮ動作に設定されたままである。
【００２３】
このように切り換えられることにより、浴槽２を通らない閉回路が形成されることになり、循環ポンプ４から吐出される循環水は、三方切換弁６、２１、３７及び電磁弁３６を通って膜浄化装置２４の噴射ノズル２６へ供給され、該ノズル２６から膜槽８内へジェット噴射される。このジェット噴射は、同時に空気吸入管２９から空気を自然的に吸引し、気泡状になって噴射される。そのため、平膜１１に付着した異物及び雑菌等の死骸が洗い落とされ、また膜槽８内面の洗浄が行われる。そして、膜槽８の上部から三方切換弁３５を通じて循環系路３へその一部が戻ると共に、残りの一部は三方切換弁３４及び３１を通じて循環系路３へ戻るようになる。このような循環閉回路において、膜浄化装置２４内に設けられた殺菌用のヒーター１２は６５℃以下にならないようにこれを加熱している。そのため、膜浄化装置２４及び循環閉回路内を高温水により殺菌洗浄することが可能である。なお、膜槽８内へ自然的に吸引された空気は、三方切換弁３３を通じてドレン側へ排出される。
【００２４】
（ホ）洗浄ｂモード
次に、本装置は図３の図（Ａ）に示すように、洗浄ｂモードへ切り換えられる。この洗浄ｂモードは、膜洗浄装置２５の殺菌、洗浄を行うものである。すなわち、三方切換弁３７は循環系路３と膜洗浄装置２４の膜槽８の底部とを連通すべく切り換えられ、電磁弁３６は閉塞され、三方切換弁３５は循環系路３との連通が遮断され、三方切換弁３４は膜洗浄装置２４及び２５の膜槽８どうしを連通すべく切り換えられ、更には電磁弁３０と三方切換弁３１とが循環系路３へ連通すべく切り換えられる。またドレン側の三方切換弁３３は、閉塞状態へ切り換えられる。なお、このモードの場合も膜洗浄装置２４内に配設された殺菌用のヒーター１２は、ＯＮ動作を継続したままである。
【００２５】
各弁がこのように切り換えられ、また殺菌用ヒーター１２がＯＮ動作を継続することにより、浴槽２を通らない循環系路３内を循環する水は、６５℃の高温を維持したまま三方切換弁２１及び３７を通過して膜洗浄装置２４の膜槽８内へ流入する。そして、三方切換弁３４から膜洗浄装置２５の膜槽８内へ流入し、その内部及びこれに装着された洗浄ノズル２８及び平膜２７等をも殺菌洗浄する。続いて、６５℃の高温水は電磁弁３０及び三方切換弁３１を経て循環系路３へ戻るようになり、これらの管路をも殺菌洗浄する。
【００２６】
（ヘ）洗浄ｃモード
然る後は、図３の図（Ｂ）に示すように、洗浄ｃモードへ切換られる。この洗浄ｃモードでは、図３の図（Ａ）に示す洗浄ｂモードの状態から三方切換弁６が膜洗浄装置２５の噴射ノズル２８と連通するように切り換えられる。また三方切換弁３１は、循環系路３との連通を遮断するように切り換えられ、電磁弁３２が開状態に切り換えられる。ドレン側の三方切換弁３３は、両方の膜洗浄装置２４及び２５へ連通すべく切り換えられる。更に、三方切換弁２１が全開となり、四方切換弁２３は、三方切換弁３８と連通すべく切り換えられる。殺菌用のヒーター１２は、依然として、ＯＮ動作を継続したままであり、循環水が６５℃になるように加熱する。ところが、保温用のヒーター５は、前記６５℃に加熱された保温温度を越える高温の循環水が通過するのでＯＦＦに切り換えられる。
【００２７】
これにより、循環ポンプ４から吐出された６５℃の高温の循環水は、三方切換弁６を経て膜洗浄装置２５の噴射ノズル２８へ供給され、空気吸入管２９から吸引される空気と共に膜槽８内へジェット噴射される。そのため、平膜２７及び膜槽８内の殺菌洗浄が行われる。そして、高温の循環水は、三方切換弁３４を経て膜洗浄装置２４の膜槽８内へ流入し、ここで６５℃に再加熱され、底部側の三方切換弁３７から循環系路３の三方切換弁２１，２０，３８及び四方切換弁２３を経て循環系路３へ戻される。このとき、循環系路３は、最も外周側の管路を通る閉塞された循環回路を形成し、当該系路の殺菌洗浄も行われる。
【００２８】
（ト）洗浄ｄモード
そして、更に、本装置は、図４の図（Ａ）に示すように、洗浄ｄモードへ切り換えられる。この洗浄ｄモードは、前記（ヘ）洗浄ｃモードの状態に対して、浴槽２の循環口を逆流させて洗浄する系路をも加えるようにしたものである。従って、三方切換分２０を全開にし、三方切換弁３８の三方切換弁２０側のポートを閉塞にし、四方切換弁２３側のポートを開にしている。そして、四方切換弁２３は浴槽２と三方切換弁３８とが連通するように切り換えられる。
【００２９】
そのため、（ヘ）洗浄ｃモードの状態から三方切換弁２０を通じて浴槽２の循環出口を通じて浴槽内の一口循環口を通り、循環入口から四方切換弁２３及び三方切換弁３８を通じて循環系路３へ戻る洗浄回路が新たに形成される。これにより、全管路の洗浄が可能となる。
【００３０】
（チ）排水ａモード
次に、本装置は、図４の図（Ｂ）に示すように、排水ａモードとなる。この排水ａモードでは、循環ポンプ４がＯＦＦとなり、三方切換２０と四方切換弁２３とが浴槽２との連通を遮断され、膜洗浄装置２４及び２５がドレン側へ連通すべく切り換えられる。すなわち、三方切換弁６が循環系路３と噴射ノズル２８との連通を遮断し、電磁弁３６が開状態となり、三方切換弁３３及び３７の全ポートが開状態となる。これにより、前述した殺菌モード、洗浄ａ〜ｄモードによって殺菌及び洗浄が行われた膜洗浄装置２４及び２５の膜槽８内の雑菌の死骸や汚れ等が、電磁弁３６及び三方切換弁３７から三方切換弁３３を経てドレン側へ流れ、排出される。このとき、膜槽８内へはドレン側から空気が補給され、膜槽８内の水と置換されるようになっている。
【００３１】
（リ）排水ｂモード
続いて、本装置は、図５の図（Ａ）に示すように、排水ｂモードとなる。この排水ｂモードでは、浴槽２内の浴槽水を一部循環させて、各配管内の排水を行うようにしている。つまり、三方切換弁２０は浴槽２と循環系路３とが連通するように切り換えられ、四方切換弁２３は浴槽２との連通を遮断してドレン側が開放されるように切り換えられる。また膜循環装置２４の三方切換弁３７は膜槽８側への連通が遮断され、三方切換弁３３は弁３７側がドレンへ連通すべく切り換えられる。更に、循環ポンプ４はＯＮとなり、電磁弁３６はＯＦＦとなる。
【００３２】
この排水ｂモードでは、循環ポンプ４によって三方切換弁２０を通じて浴槽２内の湯が汲み上げられ、三方切換弁２１で二手に分岐される。その一方は、三方切換弁３７から三方切換弁３３のドレン側へ流れて排出される。他方は、保温用ヒーター５及び紫外線殺菌装置２２から四方切換弁２３のドレン側へ流れて排出される。この両方のドレン側への排出により、前述した洗浄モードで殺菌洗浄された各配管内の汚れ等を排出することが可能である。
【００３３】
（ヌ）注水モード
最後に、本装置は、図５の図（Ｂ）に示すように、注水モードへ切り換えられ、ドレン排出された膜洗浄装置２４及び２５の膜槽８内へ浴槽水が注水される。つまり、三方切換弁６が洗浄ノズル２８側と連通すべく切り換えられ、電磁弁３０が閉塞状態となり、三方切換弁３１が循環系路３及び三方切換弁３４との連通を遮断すべく切り換えられる。またドレン側の三方切換弁３３は、電磁弁３６及び三方切換弁３７との連通が遮断され、二つの膜槽８の上部と連通すべく切り換えられる。更に、浴槽２側の四方切換弁２３は、ドレン側が閉塞され、循環系路３と浴槽２とが連通するように切り換えられる。
【００３４】
循環ポンプ４によって汲み上げられた浴槽２内の水は、三方切換弁６から噴射ノズル２８を通じて膜洗浄装置２５の膜槽８内へ流入し、続いて三方切換弁３４を通じて膜洗浄装置２４の膜槽８内へ流入し、注水される。この注水において、各膜槽８内の空気は、電磁弁３２及び三方切換弁３３を通じて排出され、置換が行われる。
【００３５】
以上が１サイクルである。然る後は、図１の図（Ａ）に示す通常浄化モードへ復帰し、浴槽２内の水を循環浄化する。ところで、本発明は上述した実施の形態に限定されるものではなく、適宜の変更が可能である。例えば、膜洗浄装置２４と２５は、循環ポンプ４に対してそれぞれ並列接続したが、粗い孔径の平膜２７を有する膜洗浄装置２５を循環ポンプ４に対して直列になるように接続することも可能であり、また膜洗浄装置２４及び２５の並列回路を循環ポンプ４に対して直列接続することも可能である。いずれの接続の場合でも、上述した各モードが得られるようにすればよい。更に、各モードの切り換えに伴う各弁の切換制御や循環ポンプ又はヒーター等のＯＮ，ＯＦＦ制御は、プログラムタイマーに従って設定時間ごとに行ってもよく、また人体検知とタイマーとを組み合わせて行うようにしてもよい。更にまた、平膜１１及び２７の孔径の設定は、菌の大きさに対応させるようにすればよく、膜モジュールは、平膜以外にも中空糸膜であってもよい。
【００３６】
【発明の効果】
以上説明したように本発明にあっては、膜槽を複数個配設して少なくとも二つの膜槽の膜体の孔径が異なるようにし、これらの各膜槽を前記循環系路へ連通接続すると共に、各膜槽どうしをも連通接続して膜浄化回路を形成し、前記各膜槽の循環ポンプの下流側と連通する流入口側に噴射ノズルを配設し、膜槽の少なくとも一つに殺菌用のヒーターを配設したから、急速な浄化が必要な場合は粗い径の膜体を使用することでこれを達成でき、また通常の浄化モードでは細かい孔径の膜体をも使用して細菌類の小さなものに対しても浄化をも行うことができる。また循環ポンプから噴射ノズルを通じて膜槽内を洗浄することができ、エアーポンプは不要である。そのため、配管の小径化及び設備のコンパクト化が可能である。
【００３７】
更に、本発明にあっては、浴槽水の循環系路と膜浄化回路との接続部位に配設された切換弁と、各膜槽どうしの接続部位に配設された切換弁とを切り換えることで、殺菌用のヒーターにより加熱された高温水が膜浄化回路及び浴槽水の循環系路の全管路を通過し、これらの内部を殺菌するようにしており、殺菌用のヒーターにより加熱された高温水がシステム全体を流れるので、システム全体の殺菌が可能である。
【図面の簡単な説明】
【図１】本発明の一実施の形態に係るものであり、図（Ａ）は通常浄化モードを示す回路図、図（Ｂ）は急速浄化モードを示す回路図である。
【図２】本発明の一実施の形態に係るものであり、図（Ａ）は殺菌モードを示す回路図、図（Ｂ）は洗浄ａモードを示す回路図である。
【図３】本発明の一実施の形態に係るものであり、図（Ａ）は洗浄ｂモードを示す回路図、図（Ｂ）は洗浄ｃモードを示す回路図である。
【図４】本発明の一実施の形態に係るものであり、図（Ａ）は洗浄ｄモードを示す回路図であり、図（Ｂ）は排水ａモードを示す回路図である。
【図５】本発明の一実施の形態に係るものであり、図（Ａ）は排水ｂモードを示す回路図、図（Ｂ）は注水モードを示す回路図である。
【図６】従来装置に係るものであり、図（Ａ）は通常浄化モードを示す回路図、図（Ｂ）は殺菌モードを示す回路図である。
【図７】従来装置に係るものであり、図（Ａ）は洗浄モードを示す回路図、図（Ｂ）は排水モードを示す回路図である。
【符号の説明】
２…浴槽                          ３…循環系路
４…循環ポンプ                    ５…保温用ヒーター
６…三方切換弁                    ８…膜槽
１１…細かい径の平膜              １２…殺菌用ヒーター
１９…浴槽水浄化装置              ２４…膜浄化装置
２５…膜浄化装置                  ２６…噴射ノズル
２７…粗い径の平膜                ２８…噴射ノズル
【図１】
0003852065.tif 000002
【図２】
0003852065.tif 000003
【図３】
0003852065.tif 000004
【図４】
0003852065.tif 000005
【図５】
0003852065.tif 000006
【図６】
0003852065.tif 000007
【図７】
0003852065.tif 000008